(57)【要約】      （修正有）【課題】取り扱い容易に大きな釣果を期待することができる集魚材を提供する。【解決手段】集魚材１は、水中に投入されることにより発泡しながら溶解する。そして、この集魚材１は、餌体１０に対する突き刺し部１３を有して餌体１０に固定することが可能になっている。【選択図】図２
2020000175.tif 000002
【特許請求の範囲】
【請求項１】
水中に投入されることにより発泡しながら溶解する集魚材であって、
餌体に対する突き刺し部を有して前記餌体に固定可能であること、
を特徴とする集魚材。
【請求項２】
請求項１に記載の集魚材において、
軸状をなす本体部と、
前記本体部の軸端に設けられた前記突き刺し部となる先細りのテーパ形状部と、
を備えること、を特徴とする集魚材。
【請求項３】
請求項２に記載の集魚材において、
前記本体部の周面に設けられた二面幅部を備えること、
を特徴とする集魚材。
【請求項４】
請求項１〜請求項３の何れか一項に記載の集魚材において、
炭酸ナトリウム及びシュウ酸水和物を発泡剤に用いて形成されること、
を特徴とする集魚材。
【請求項５】
請求項１〜請求項４の何れか一項に記載の集魚材において、
前記溶解により前記水中に放出される餌成分を含有すること、
を特徴とする集魚材。
【発明の詳細な説明】
【技術分野】
【０００１】
本発明は、集魚材に関するものである。
【背景技術】
【０００２】
従来、水中に投入されることにより発泡しながら溶解する集魚材がある。例えば、特許文献１に記載の集魚材は、撒き餌として水中に投げ入れやすい錠剤型の外形を有している。更に、特許文献２には、その集魚材を釣り糸で吊り下げる構成が開示されている。即ち、釣り針を仕掛けた餌体と同時に集魚材を水中に投入することによって、この集魚材に引き寄せられた魚が、その餌体を捕食しやすい状況をつくることができる。そして、これにより、大きな釣果を期待することができる。
【先行技術文献】
【特許文献】
【０００３】
【特許文献１】特開平５−１９２０６３号公報
【特許文献２】特開２００１−８６９１２号公報
【発明の概要】
【発明が解決しようとする課題】
【０００４】
しかしながら、上記従来技術の構成は、その釣り糸に集魚材を吊り下げる作業が面倒である。そして、これにより、集魚材の利用が敬遠されるおそれがあることから、この点において、なお改善の余地を残すものとなっていた。
【０００５】
本発明は、上記問題点を解決するためになされたものであって、その目的は、取り扱い容易に大きな釣果を期待することができる集魚材を提供することにある。
【課題を解決するための手段】
【０００６】
上記課題を解決する集魚材は、水中に投入されることにより発泡しながら溶解する集魚材であって、餌体に対する突き刺し部を有して前記餌体に固定可能である。
上記構成によれば、釣り針が仕掛けられた餌体に突き刺し部を突き刺すだけで、容易に、その集魚材を釣り用の仕掛けに仕込むことができる。更に、集魚材が餌体に固定されることで、より一層、この集魚材に引き寄せられた魚が、その餌体を捕食しやすくなる。そして、これにより、取り扱い容易に大きな釣果を期待することができる。
【０００７】
上記課題を解決する集魚材は、軸状をなす本体部と、前記本体部の軸端に設けられた前記突き刺し部となる先細りのテーパ形状部と、を備えることが好ましい。
上記構成によれば、本体部を把持するかたちで、容易に、そのテーパ形状部が設けられた軸端側から餌体に集魚材を突き刺すことができる。更に、突き刺し部となるテーパ形状部とともに、その本体部を餌体内に没入させることで、この集魚材が餌体から突出した部分の長さ、つまりは、この集魚材が水中に露出する部分の面積を、容易に変更することができる。そして、これにより、その水中に投入された集魚材が発生する気泡の量、及び発泡の継続時間を調整することで、より一層、この集魚材に引き寄せられた魚が餌体を捕食しやすくすることができる。
【０００８】
上記課題を解決する集魚材は、前記本体部の周面に設けられた二面幅部を備えることが好ましい。
上記構成によれば、その二面幅部を指でつまむかたちで、容易に、集魚材を餌体に突き刺すことができる。
【０００９】
上記課題を解決する集魚材は、炭酸ナトリウム及びシュウ酸水和物を発泡剤に用いて形成されることが好ましい。
上記構成によれば、その水中で発生する気泡に魚が引き寄せられるような発泡性を集魚材に付与することができる。
【００１０】
上記課題を解決する集魚材は、前記溶解により前記水中に放出される餌成分を含有することが好ましい。
上記構成によれば、より強力に、水中の魚を引き寄せることができる。
【発明の効果】
【００１１】
本発明によれば、取り扱い容易に大きな釣果を期待することができる。
【図面の簡単な説明】
【００１２】
【図１】（ａ）は、集魚材の斜視図、（ｂ）は、側面図、（ｃ）は、正面図。
【図２】（ａ）は、集魚材が固定された餌体の説明図、（ｂ）は、餌体に突き刺された集魚材の拡大図。
【発明を実施するための形態】
【００１３】
以下、集魚材の一実施形態を図面に従って説明する。
図１（ａ）〜（ｃ）に示すように、本実施形態の集魚材１は、軸状の外形を有している。具体的には、この集魚材１は、断面略円形の軸状をなす本体部２と、この本体部２の一端に設けられた先細りのテーパ形状部３と、を備えている。また、この集魚材１は、水中に投入されることにより発泡しながら溶解する。そして、これにより、水中の魚を引き寄せる構成になっている。
【００１４】
詳述すると、本実施形態の集魚材１は、水との反応により気泡を発生する発泡剤を軸状に固めることにより形成されている。具体的には、この集魚材１には、その発泡剤として、炭酸ナトリウム及びシュウ酸水和物の粉末結晶が用いられている。更に、本実施形態の集魚材１は、この集魚材１が溶解することにより水中に放出される餌成分を含有する。尚、本実施形態では、この餌成分には、粉末化されたエビのエキスが用いられている。そして、本実施形態の集魚材１は、これにより、その発泡による視覚効果に加え、水中に広がる音と臭い（味）によって、水中の魚を引き寄せる構成になっている。
【００１５】
さらに詳述すると、図２（ａ）（ｂ）に示すように、本実施形態の集魚材１は、釣り針（図示略）を仕掛ける餌体１０に突き刺された状態で、この餌体１０に固定される。尚、図２中には、その集魚材１が、比較的軟質の疑似餌（所謂ワーム等のソフトルアー）１１に対して突き刺された状態が示されている。つまり、この集魚材１は、所謂ネイルシンカー（爪状の重り）と同様の方法で餌体１０に固定される。そして、本実施形態の集魚材１は、これにより、その突き刺された餌体１０と一体化された状態で、水中に投入される構成になっている。
【００１６】
即ち、本実施形態の集魚材１は、その軸状をなす本体部２の一端に設けられたテーパ形状部３を突き刺し部１３として餌体１０に突き刺される。具体的には、この集魚材１は、このとき、そのテーパ形状部３が設けられた一端側から餌体１０内に本体部２を没入させるかたちで突き刺される。そして、本実施形態の集魚材１は、これにより、餌体１０から突出した部分の長さＬを変更することで、その水中に投入された集魚材１が発生する気泡の量、及び発泡の継続時間を調整することが可能になっている。
【００１７】
また、図１に示すように、本実施形態の集魚材１は、その本体部２の周面２ｓに設けられた二面幅部１５を備えている。即ち、この二面幅部１５は、円略柱状をなす本体部２の周面２ｓを切り欠くかたちで設けられた互いに平行する２つの平面により構成されている。そして、本実施形態の集魚材１は、この二面幅部１５を指でつまむかたちで、容易に、その餌体１０に突き刺すことが可能となっている。
【００１８】
次に、本実施形態の効果について説明する。
（１）集魚材１は、水中に投入されることにより発泡しながら溶解する。そして、この集魚材１は、餌体１０に対する突き刺し部１３を有して餌体１０に固定することが可能になっている。
【００１９】
上記構成によれば、釣り針が仕掛けられた餌体１０に突き刺し部１３を突き刺すだけで、容易に、その集魚材１を釣り用の仕掛けに仕込むことができる。更に、集魚材１が餌体１０に固定されていることで、より一層、この集魚材１に引き寄せられた魚が、その餌体１０を捕食しやすくなる。そして、これにより、取り扱い容易に大きな釣果を期待することができる。
【００２０】
（２）集魚材１は、軸状をなす本体部２と、この本体部２の軸端に設けられた突き刺し部１３となる先細りのテーパ形状部３と、を備える。
上記構成によれば、本体部２を把持するかたちで、容易に、そのテーパ形状部３が設けられた軸端側から餌体１０に集魚材１を突き刺すことができる。更に、この突き刺し部１３となるテーパ形状部３とともに、その本体部２を餌体１０内に没入させることで、この集魚材１が餌体１０から突出した部分の長さＬ、つまりは、この集魚材１が水中に露出する部分の面積を、容易に変更することができる。そして、これにより、その水中に投入された集魚材１が発生する気泡の量、及び発泡の継続時間を調整することで、より一層、この集魚材１に引き寄せられた魚が餌体１０を捕食しやすくすることができる。
【００２１】
（３）集魚材１は、軸状をなす本体部２の周面２ｓに設けられた二面幅部１５を備える。これにより、その二面幅部１５を指でつまむかたちで、容易に、集魚材１を餌体１０に突き刺すことができる。
【００２２】
（４）集魚材１は、炭酸ナトリウム及びシュウ酸水和物を発泡剤に用いて形成される。これにより、その水中で発生する気泡に魚が引き寄せられるような発泡性を集魚材１に付与することができる。
【００２３】
（５）集魚材１は、該集魚材が溶解することにより水中に放出される餌成分を含有する。これにより、より強力に、水中の魚を引き寄せることができる。
なお、上記実施形態は、以下のように変更して実施することができる。上記実施形態及び以下の変更例は、技術的に矛盾しない範囲で互いに組み合わせて実施することができる。
【００２４】
・上記実施形態では、軸状をなす本体部２の一端側に、その突き刺し部１３となるテーパ形状部３が設けられる構成とした。しかし、これに限らず、本体部２の両端にテーパ形状部３が設けられる構成であってもよい。
【００２５】
・また、餌体１０に対する突き刺し部１３を有する構成であれば、集魚材１の形状は、任意に変更してもよい。即ち、必ずしも軸状の本体部２を有していなくともよく、例えば、画鋲型の形状等であってもよい。
【００２６】
・更に、突き刺し部１３の形状についてもまた、必ずしも先細りのテーパ形状部３でなくともよい。即ち、餌体１０に突き刺されることにより当該餌体１０に集魚材１を固定可能であれば、例えば、枝分かれした爪形状等であってもよい。
【００２７】
・上記実施形態では、発泡剤には、炭酸ナトリウム及びシュウ酸水和物を用いることとしたが、水中に投入されることにより発泡しながら溶解するものであれば、その発泡剤の成分については任意に変更してもよい。
【００２８】
・また、集魚材１が溶解することにより水中に放出される餌成分についてもまた、必ずしも粉末化されたエビのエキスに限らない。例えば、魚や肉等のエキスを用いる構成、或いは植物性のタンパク質やデンプン等を用いる構成であってもよい。
【００２９】
・上記実施形態では、図２において、疑似餌１１に集魚材１を突き刺して用いる方法を例示したが、集魚材１は、生き餌に突き刺して用いてもよい。
【符号の説明】
【００３０】
１…集魚材、２…本体部、２ｓ…周面、３…テーパ形状部、１０…餌体、１１…疑似餌、１３…突き刺し部、１５…二面幅部、Ｌ…長さ。
【図１】
2020000175.tif 000003
【図２】
2020000175.tif 000004